(57)【特許請求の範囲】
【請求項１】
シワ除去用手術糸を挿入させる整形用注射針において、
人体に挿入できるように先端が尖って形成され、中が空洞で円筒状の注入部に長さ０．８〜１０ｃｍの手術糸が２本以上内蔵され、前記手術糸には多数の突起が形成され、前記突起は皮膚の軟部組織を寄せるか又は、表皮組織を広げる役割を有し、
前記手術糸は、前記多数の突起が前記手術糸に密着するように前記注入部に内蔵され、人体に挿入されると前記多数の突起が外方に拡がり、皮膚組織に引っ掛かるようにし、
人体への挿入の際には押しピンを用いて前記手術糸を押して人体内部に挿入させることを特徴とするシワ除去用手術糸が装着された整形用注射針。
【請求項２】
前記突起は、手術糸の軸方向に螺旋状に形成されることを特徴とする請求項１に記載のシワ除去用手術糸が装着された整形用注射針。
【請求項３】
前記注入部は、１８〜２６ゲージであることを特徴とする請求項１に記載のシワ除去用手術糸が装着された整形用注射針。
【請求項４】
前記手術糸は、０．２５〜０．８０ｍｍの直径を有することを特徴とする請求項１に記載のシワ除去用手術糸が装着された整形用注射針。
【請求項５】
前記手術糸は、ＰＤＳ（ポリジオキサノン）、モノクリル（登録商標名）、ＰＣＬ（ポリカプロラクトン）、ＰＧＡ（ポリグルコール酸）、ＰＬＡ（ポリ乳酸）、ＰＬＧＡ（ポリ乳酸・グリコール酸）から選ばれる一つの生分解性高分子の単繊維で製造されたことを特徴とする請求項１に記載のシワ除去用手術糸が装着された整形用注射針。
【請求項６】
前記手術糸は、ポリプロピレン又はナイロンの単繊維で製造されたことを特徴とする請求項１に記載のシワ除去用手術糸が装着された整形用注射針。
【請求項７】
前記手術糸は、異形断面糸であることを特徴とする請求項１に記載のシワ除去用手術糸が装着された整形用注射針。
【請求項８】
前記手術糸の突起は、多角形断面の角に形成されることを特徴とする請求項７に記載のシワ除去用手術糸が装着された整形用注射針。
【発明の詳細な説明】
【技術分野】
【０００１】
本発明は、身体のシワを除去しようとする部位の皮膚表皮層にシワ除去用手術糸を挿入するためのシワ除去整形用注射針に関する。
【背景技術】
【０００２】
一般的に、顔、下あご、首等の皮膚に生じたシワを除去するための整形施術法としては、フェイスリフト術、補充物挿入法、ボトックス注射法、レーザー皮膚再生術等、多様なシワ除去術が施術されているが、最近はシワ除去用手術糸を使用した整形施術法が、非手術的シワ除去術としてメスを使わないため、既存の手術的施術に比べて施術が非常に簡単で日常生活に殆ど支障をきたさないことから、脚光を浴びている。
【０００３】
このシワ除去施術法は、トゲのような方向性を有する突起が形成された手術糸を皮膚の表皮層に挿入して方向性を有する突起が周辺の皮膚組織を離隔させたり、又は離隔を防止して皮膚のシワを除去する施術方法であり、一般的には図１、図２に示したような手術糸を皮膚表皮層に挿入して施術する。
【０００４】
このような方法のシワ除去施術法は、使用される手術糸の特性上、実際の皮膚のような弾性を有することができず、強張って固定され、笑った時や口を大きく開けた際に、時折、その力に耐え切れず図３に図示したように手術糸が切れる現象が生じる。
【０００５】
また、上記の施術法は、手術糸の弾性が不十分なので軸方向の顔の動きを制限してしまい、多様な表情が出にくくなる。
【０００６】
これは、実際の皮膚のコラーゲン繊維は、マイクロメーターの小さな単位で多様な方向を有して配列されており、その間にエラスチンという弾性成分を含んでいる一定の弾性と伸張性を有しているが、挿入される手術糸は使用される糸の単位が非常に長いため、全体に亘り伸張性が殆どなくなるようになり、弾性を失うため前記のような問題点が発生するようになる。
【０００７】
前記のような問題点を補完したシリコンのような弾性素材の糸を使いもするが、シリコン等は突起構造の力が弱く、組織をつかむ力が弱いためたるみ易く、且つ外部に露出し易く、繰り返される動きに脆弱なため寿命が短いという問題点により、多用はされていない。
【０００８】
前記のような問題点を解決するためには、短い手術糸を利用して施術する方法があるが、これは施術過程で多くの出血を生じさせ、施術が複雑で且つ難しいため使用されていない。
【発明の概要】
【発明が解決しようとする課題】
【０００９】
本発明は、前記のような問題点を解決するために発明されたものであり、顔や首等に手術糸を挿入して皮膚のシワを除去する施術を短い手術糸を簡単且つ安全に利用できるようにして、長い手術糸を使用することで発生する問題点を解決できる整形用注射針を提供することを目的とする。
【００１０】
また、皮膚に挿入される短い手術糸の多様な突起形態を提供することを目的とする。
【課題を解決するための手段】
【００１１】
本発明は、シワ除去用手術糸を挿入させる整形用注射針において、人体に挿入できるように先端が尖って形成され、中が空洞で円筒状の注入部に、異なる方向に多数の突起が形成された０．８〜１０ｃｍの手術糸が２本以上内蔵される。前記手術糸は、手術糸の軸を基準に対称的に突起が形成されて皮膚の軟部組織を寄せたり表皮組織を広げる役割をするシワ除去手術糸が２本以上装着されたことを特徴とする整形用注射針を提供する。
【００１２】
また、前記突起が手術糸の軸方向に螺旋状に形成されたシワ除去用手術糸が装着されたことを特徴とする整形用注射針を提供する。
【００１３】
また、前記注入部は、１８〜２６ゲージであるシワ除去用手術糸が装着された整形用注射針を提供する。
【００１４】
また、前記手術糸は、０．２５〜０．８０ｍｍの直径を有するシワ除去用手術糸が装着されたことを特徴とする整形用注射針を提供する。
【００１５】
また、前記手術糸は、ＰＤＳ（ポリジオキサノン）、モノクリル（登録商標名）、ＰＣＬ（ポリカプロラクトン）、ＰＧＡ（ポリグルコール酸）、ＰＬＡ（ポリ乳酸）、ＰＬＧＡ（ポリ乳酸・グリコール酸）から選ばれる一つの生分解性高分子から製造された単繊維のシワ除去用手術糸が装着されたことを特徴とする整形用注射針を提供する。
【００１６】
また、前記手術糸は、ポリプロピレン又はナイロンの単繊維で製造されたシワ除去用手術糸が装着されたことを特徴とする整形用注射針を提供する。
【００１７】
また、前記手術糸は、異形断面糸であるシワ除去用手術糸が装着されたことを特徴とする整形用注射針を提供する。
【００１８】
また、前記手術糸の突起は、多角形断面の角に形成されたシワ除去用手術糸が装着されたことを特徴とする整形用注射針を提供する。
【発明の効果】
【００１９】
本発明にかかるシワ除去用手術糸が装着された整形用注射針は、短い手術糸を皮膚の軟部組織に安定的且つ容易に挿入できるようにする。前記の短い手術糸は、皮膚の軟部組織に多数本が挿入されて手術糸の間に表皮組織が連結して手術糸の全区間に一定量の弾性を有するようになり、短い手術糸が挿入されるため挿入された手術糸に外部から力が加わっても皮膚への力の分散が早く、皮膚の軟部組織と一緒に弾性力を有するため、施術後の動きに優れ、シワ除去効果が長期間持続する。
【００２０】
また、注射針の一回の挿入により何本もの手術糸を挿入できるため、注射針が皮膚に挿入する際に発生する出血を最小化する効果がある。
【図面の簡単な説明】
【００２１】
【図１】従来のシワ除去施術で注入された手術糸の概略的な状態図
【図２】従来のシワ除去施術による手術糸の一実施例を示した状態図
【図３】従来のシワ除去施術による手術糸の一実施例の問題点を示した状態図
【図４】本発明にかかるシワ除去用手術糸が装着された整形用注射針の断面図
【図５】本発明にかかる手術糸の多様な突起形態を示した図
【図６】本発明にかかる手術糸の多様な断面を示した図
【図７】本発明にシワ除去用手術糸が装着された整形用注射針の使用断面図
【図８】本発明の注射針で施術された手術糸の一実施例の使用状態図
【図９】本発明の注射針で施術された手術糸の一実施例の作用状態図
【図１０】本発明の注射針で施術された手術糸の他の実施例の使用状態図
【図１１】本発明の注射針で施術された手術糸の他の実施例の作用状態図
【図１２】本発明のシワ除去施術で注入された手術糸の概略的な状態図
【発明を実施するための形態】
【００２２】
以下、本発明に添付した図面を参照して本発明の好ましい一実施例を詳しく説明する。先ず、図面中、同一な構成要素または部品はできるだけ同一な参照符号を付す。本発明の説明において、関連する公知機能、或いは構成に対する具体的な説明は、本発明の要旨を曖昧にさせるため省略する。
【００２３】
図４は本発明にかかるシワ除去用手術糸が装着された整形用注射針の断面図であり、図５は本発明にかかる手術糸の多様な突起形態を表した図面であり、図６は本発明にかかる手術糸の多様な断面を示した図面であり、図７は本発明にシワ除去用手術糸が装着された整形用注射針の使用断面図であり、図８は本発明の注射針で施術された手術糸の一実施例の使用状態図であり、図９は本発明の注射針で施術された手術糸の一実施例の作用状態図であり、図１０は本発明の注射針で施術された手術糸の他の実施例の使用状態図であり、図１１は本発明の注射針で施術された手術糸の他の実施例の作用状態図であり、図１２は本発明のシワ除去施術で注入された手術糸の概略的な状態図である。
【００２４】
本発明は、短い手術糸を皮膚の表皮層に効果的に挿入させることができるように手術糸が装着された整形用注射針１００に関するものであり、図４に示したように、前記整形用注射針は、人体に注入される中が空洞で円筒状の注入部１０２と、前記注入部１０２の内部に方向性を有する多数の突起２０２が形成された短い手術糸２００が内蔵されている。
【００２５】
前記整形用注射針は、内蔵されている手術糸２００を人体に挿入する圧力を伝達する挿入部１０４を備えている。
【００２６】
前記注入部１０２は、中が空洞で円筒状の一般的な注射針の形状であり、注入部一端が人体内部に挿入できるように尖って形成される。
【００２７】
前記注入部１０２には、方向性を有する多数の突起２０２が一定間隔で離隔されて手術糸の軸方向に形成された０．８〜１０ｃｍの長さの複数本の手術糸２００が内蔵されている。
【００２８】
前記手術糸２００は、約０．２５〜０．８０ｍｍの直径を有し、注入部１０２には、突起２０２が手術糸２００に密着するように内蔵される。人体に挿入されると突起２０２が手術糸２００から外方に拡がり、皮膚の軟部組織に引っ掛かるようになる。
【００２９】
また、前記注入部１０２の直径が、使用される手術糸２００の直径より大きすぎると、後ろ側の手術糸が前側の手術糸を押し出せず重なり合うようになり得るため、注入部１０２の直径は手術糸２００の直径に従って適切な大きさを使用しなければならない。
【００３０】
前記注入部１０２は、人体の皮膚を通り抜け人体内部に挿入するものであり、大きすぎる直径を有するものは好ましくなく、１８〜２６ゲージの直径を有するものが好ましい。
【００３１】
前記挿入部１０４は、注入部１０２に内蔵された手術糸２００を人体に挿入する圧力を伝達する部位であり、図７に示したように、挿入部１０４にピン状や内針のような形態の押しピン３００を挿入して手術糸２００を押して人体内部に挿入させることができる。挿入部１０４を注射器と結合できるように形成し、注射器の空気圧を利用して手術糸２００を人体内部に挿入させることができる。前記挿入部に注射針と着脱する回転方式（Ｌｕｅｒ  Ｌｏｃｋ）構造の先端を有する注射器でもよい。又は、長い円筒形注射器胴体と、圧力手段として注射器内径に入る太さの押針と、ばね及びプランジャーを有する植毛機形態の縫合糸注射器でもよく、プランジャーの先端が薬指と小指で掴み易いように直径が注射器よりも１５ｍｍ以上に広く製作される。注射器胴体には親指で引っ張ることができる複数の突起が形成されて引っ張る量を段階的に調節できる糸挿入道具を製作して人体内部に手術糸を挿入させることができる。
【００３２】
前記手術糸２００に形成される突起２０２は、手術状況に応じて多様な形態に形成できる。
【００３３】
図５は、前記手術糸２００に形成される多様な突起２０２の形状を示したものであり、前記突起２０２は手術糸に図５の（ａ）のように突起２０２を手術糸２００に一列に形成しても、図５の（ｂ）のように突起２０２を手術糸２００に２列に形成してもよい。
【００３４】
また、二列以上の突起２０２を手術糸２００に形成することもできる。
【００３５】
前記突起２０２は、図５の（ａ）、（ｂ）に示したように手術糸の軸を基準に非対称的にも、対称的にも形成してもよい。
【００３６】
また、前記突起２０２は、図５の（ｃ）に示したように手術糸の軸周りに螺旋状に形成してもよい。
【００３７】
前記手術糸２００を図６に示したように、三角形、四角形、ひし形等の多角形異形断面糸に製造し、手術糸の表面積を広くして表皮組織に挿入した後の密着力を高めることができる。
【００３８】
また、多角形異形断面糸の手術糸の突起を多角形断面の角に形成することもできる。
【００３９】
前記手術糸２００は、一般的な合成樹脂で製造できるが、人体に無害なポリプロピレンやナイロンの単繊維で製造することが好ましい。
【００４０】
また、前記手術糸を、ＰＤＳ（ポリジオキサノン）、モノクリル（登録商標名）、ＰＣＬ（ポリカプロラクトン）、ＰＧＡ（ポリグルコール酸）、ＰＬＡ（ポリ乳酸）、ＰＬＧＡ（ポリ乳酸・グリコール酸）等の生分解性高分子の単繊維で製造してもよい。
【００４１】
前記のように、本発明にかかるシワ除去用手術糸が装着された整形用注射針を利用したシワ除去手術は、注射針に多数本の手術糸を一回で一列に挿入でき、図８に示したように、間隔を持って一列に挿入された手術糸を施術できる。
【００４２】
これにより、弾性を有するスプリングで非弾性の金属間を連結して形成される金属弾性バンドのように、弾性が少なく短い手術糸の間に弾性を有する表皮組織が入って手術糸の全区間に一定量の弾性を有するようになる。つまり、図９に示したように短い手術糸が挿入された皮膚が伸びると、手術糸間の表皮組織が伸びて手術糸の全区間が伸びるようになる。
【００４３】
また、本発明にかかるシワ除去用手術糸が装着された整形用注射針の短い手術糸を利用して多様な形態の施術が可能である。
【００４４】
図１０に示したように、挿入された手術糸の間の間隔の側面部に新たな短い手術糸を挿入してシワ除去効果を向上させることができる。
【００４５】
図１０に示したように手術糸が挿入されると、図１１に示したように側面に挿入された手術糸が、皮膚が過度に伸びることを防いで新たなシワの発生を抑制し、皮膚の老化を防ぐことができる。
【００４６】
また、短い手術糸を手術糸の軸方向の側面に配列してより広い部位のシワを除去することができる。
【００４７】
また、短い手術糸を使用するため、極小部位のシワ除去施術を行うこともできる。
【００４８】
また、注射針の一回の挿入で何本もの手術糸を挿入できるため、注射針が皮膚に挿入する際に発生する出血を最小化することができる。
【００４９】
前記のように施術された手術糸は、皮膚表皮組織から短い手術糸を挿入するため、挿入された手術糸に外部から力が加えられても、手術糸は皮膚の軟部組織のように弾性なので、迅速に分散される。施術後に動きが自然で手術糸が切れないためシワ除去効果が長期間持続する。
【００５０】
以下、本発明を次の実施例によってより詳しく説明するが、本発明がこれに限定されるのではない。
【実施例１】
【００５１】
ポリエステル系極細糸で製造される人工皮革用不織布に、ポリプロピレンで製造された直径０．３ｍｍ、長さ２ｃｍの手術糸を図８のように各手術糸の間隔を０．５ｃｍに一列に縫った。
【実施例２】
【００５２】
ポリエステル系極細糸で製造される人工皮革用不織布に、ポリプロピレンで製造された直径０．３ｍｍ、長さ２ｃｍの手術糸を図１０のように各手術糸の間隔を０．５ｃｍに一列に縫い、側面部の手術糸は０．５ｃｍ間隔で縫った。
【００５３】
［比較例１］
ポリエステル系極細糸で製造される人工皮革用不織布に何ら処理を施さなかった。
【００５４】
［比較例２］
ポリエステル系極細糸で製造される人工皮革用不織布にポリプロピレンで製造された直径０．３ｍｍの長い手術糸を一列に縫った。
＊引張強度および伸びの測定
引張強度および伸びは、前記の実施例および比較例の織物で横２ｃｍ、縦８ｃｍの試片を作ってＪＩＳ  Ｌ  １０９６に準じて測定する。引張速度は、１０ｃｍ／ｍｉｎとする。切断時の数値で幅１ｃｍ当りの強度と伸びを算出した。
【００５５】
【表１】
0005635010.tif 000002
【００５６】
表１から判るように、短い手術糸で縫われた織物は、長い手術糸で縫われた織物より強度ではさほど差は生じないが、伸びにおいて遥かに優れた効果を示した。
【００５７】
よって、短い手術糸を利用したシワ除去施術は、施術後、施術部位が弾性力によって、人為的でなく自然な動きを可能とする。
【００５８】
以上で説明した本発明は、前述の実施例および添付の図面によって限定されるものではなく、本発明の技術的思想から外れない範囲内で様々な置換、変形および変更が可能であることは、本発明が属する技術分野で通常の知識を有する者に明らかである。
【符号の説明】
【００５９】
１００    整形用注射針
１０２    注入部
２００    手術糸
２０２    突起
３００    押しピン
【図４】
0005635010.tif 000003
【図５】
0005635010.tif 000004
【図６】
0005635010.tif 000005
【図１】
0005635010.tif 000006
【図２】
0005635010.tif 000007
【図３】
0005635010.tif 000008
【図７】
0005635010.tif 000009
【図８】
0005635010.tif 000010
【図９】
0005635010.tif 000011
【図１０】
0005635010.tif 000012
【図１１】
0005635010.tif 000013
【図１２】
0005635010.tif 000014